(57)【要約】
【課題】　サーマルロール紙のレシートに署名を重ね書きする複写を可能にしたレシートを提供することを目的とする。
【解決手段】　商品購入の際に顧客に対して発行される複写可能な署名欄を有する複数枚で構成されたレシートであって、前記レシートの購入情報欄は、少なくともレシートを発行した店名等のレシート発行者名と、レシート発行日時と、購入金額と、からなる購入情報で構成され、前記複写可能な署名欄は、複数の前記レシートに設定された基準位置を重ね合わせることにより同一の位置に重なり合うように設けられている。
【選択図】　図５
0003099276.tif 000002
【実用新案登録請求の範囲】
【請求項１】
商品購入の際に顧客に対して発行される複写可能な署名欄を有する複数枚で構成されたレシートであって、
　前記レシートの購入情報欄は、少なくともレシートを発行した店名等のレシート発行者名と、レシート発行日時と、購入金額と、からなる購入情報で構成され、
　前記複写可能な署名欄は、複数の前記レシートに設定された基準位置を重ね合わせることにより同一の位置に重なり合うように設けられた重ね書きによる複写可能なレシート。
【請求項２】
前記複写可能なレシートは、
　紙基材と、
　前記紙基材の表面側に設けられた感熱発色層と、
　前記紙基材の裏面側に設けられた感圧複写を可能とするノーカーボン層と、
により構成され、たことを特徴とする請求項１に記載の重ね書きによる複写可能なレシート用サーマルロール紙。
【請求項３】
前記ノーカーボン層は、前記サーマルロール紙の裏面に所定の幅を有して長手方向に連続して形成されていることを特徴とする請求項２に記載の重ね書きによる複写可能なレシート。
【請求項４】
前記基準位置は、当該各レシートの少なくとも１辺又は各レシートに印字された印であり、前記基準位置に複数枚の前記レシートを重ね合わせることにより前記各レシートの所定の位置に設けられた前記署名欄が同一の位置に位置し重ね書き可能となることを特徴とする請求項１に記載の重ね書きによる複写可能なレシート。
【請求項５】
前記署名欄は、前記複数枚のレシートの内特定レシートのみに設けることが可能であることを特徴とする請求項３に記載の重ね書きによる複写可能なレシート。
【請求項６】
重ね書きによる複写可能なレシートは、商品引換伝票であることを特徴とする請求項５に記載の重ね書きによる複写可能なレシート。
【請求項７】
重ね書きによる複写可能なレシートは、クレジット売上伝票であることを特徴とする請求項５に記載の重ね書きによる複写可能なレシート。
【考案の詳細な説明】
【技術分野】
【０００１】
　本考案は、商品購入に際して発行されるレシートに関し、特に重ね書きによる複写可能なレシートに関する。
【背景技術】
【０００２】
　従来、商品の販売等により複数枚の複写帳票を発行する場合は、ノーカーボン加工或いは裏カーボン加工が施された複数の帳票からなる複写伝票に、ワイヤドットプリンタ等のインパクトプリンタを用いて印字が行われていた。また、感熱紙を使用した伝票等の帳票の印字にサーマルプリンタで印字を行う場合は、紙基材そのものが圧力で発色する複写伝票でない為、同じ伝票を必要枚数印字して、その複数枚の伝票を重ね合わせてセットして使用している。感熱紙を使用した伝票に確認署名等が必要な場合は、カーボン紙を挿入する又は予め複写する所定の場所にカーボン加工しておくなどして使用するしかない。
【０００３】
　近年、ハンディターミナル、ＰＯＳ端末装置等のプリンタによる印字は、印字装置の小型化、省力化、経済性、印字性能等の優位さから従来のインパクトプリンタからサーマルロール紙に対して印字を行うサーマルプリンタに移行している。
【０００４】
　例えば、ＰＯＳ端末装置においてサーマルプリンタによるレシートを印字する場合、１取引で連続して複数枚のレシートを印字してその中の１枚に顧客の署名欄を設けている。これにより、複数枚のレシートの内、署名は署名欄のある１枚のみに行われ他のレシートには署名欄が設けられていない。
【考案の開示】
【考案が解決しようとする課題】
【０００５】
　しかし、上記した感熱紙による複数枚構成の帳票において、本人確認のため複数枚の帳票に署名を必要とする場合には、署名を複写するために最上面の伝票と複写に必要な伝票の間にカーボン紙を挟み込む、又は、予めカーボン加工をし、複写する必要があり手間がかかり非効率であった。
【０００６】
　さらに、ＰＯＳ端末装置でレシートを発行する場合、１取引で連続して複数枚のレシートを印字してその中の１枚に顧客の署名欄を設け、本人確認の為の直筆署名をもらっている場合は、顧客の署名は１枚のレシートのみに行われ他のレシートには行われない。これは、顧客本人の直筆署名をレシート全てに必要とした場合には、顧客及び販売店双方にとって、手間がかかり運用面から考えると現実的とは言い難い。
【０００７】
　例えば、クレジットカードによる商品販売において、ＰＯＳ端末装置で印字される３枚構成のレシートであった場合、署名された１枚目のレシートはカード会社に送付され、署名のないレシートが、顧客と商品販売会社の控えとなる。したがって、取引において問題が発生した時（なりすまし使用等の不正使用）、購入者本人が購入したことを証明するため直筆署名を確認しようとした場合、販売会社の控え伝票には署名がされていないため販売会社では署名の筆跡確認ができない。この場合、カード会社にその署名筆跡の確認を依頼する等の処置をとらなければならない。
【０００８】
　本考案は、重ね合わせた複数枚のレシートの署名欄に署名を重ね書きにより複写可能にするレシートを提供することを目的とする。
【課題を解決するための手段】
【０００９】
　上記の課題に鑑み本考案は、商品購入の際に顧客に対して発行される複写可能な署名欄を有する複数枚で構成されたレシートであって、前記レシートの購入情報欄は、少なくともレシートを発行した店名等のレシート発行者名と、レシート発行日時と、購入金額と、からなる購入情報で構成され、前記複写可能な署名欄は、複数の前記レシートに設定された基準位置を重ね合わせることにより同一の位置に重なり合うように設けられた重ね書きによる複写可能なレシートを提供するものである。
【００１０】
　これにより、重ね合わせた最上位のレシートの署名欄に署名した時、下位に重ねられたレシートの署名欄に署名を複写することが可能となった。複数のレシートに署名が複写されているので署名の照合が容易となり、顧客と店舗の正確な商取引確認が可能となる。
【００１１】
　さらに、前記複写可能なレシートは、紙基材の表面に感熱発色層を備え、前記紙基材の裏面に感圧複写を可能とするノーカーボン層を備えたロール状に巻回されたサーマルロール紙である。ここで、サーマルロール紙は、ＰＯＳ端末装置、ハンディターミナル等の各種の端末装置に装着可能であり広い業務で利用可能である。
【００１２】
　前記ノーカーボン層は、前記サーマルロール紙の裏面に所定の幅を有して長手方向に連続して形成されている。
【００１３】
　ここで、前記基準位置は、当該各レシートの少なくとも１辺又は各レシートに印字された印であり、前記基準位置に複数枚の前記レシートを重ね合わせることにより前記各レシートの所定の位置に設けられた前記署名欄が同一の位置に位置し重ね書き可能となる。これにより長さの異なる複数枚組のレシートであっても同一位置に署名欄を重ね合わせることが可能となる。
【００１４】
　さらに、前記署名欄は、前記複数枚のレシートの内特定レシートのみに設けることが可能である。例えば、重ね書きによる複写可能なレシートは、商品引換伝票、クレジット売上伝票である。
【００１５】
　本考案の重ね書きによる複写可能なレシートによれば、重ね書きにより複数のレシートに複写署名が複写されているので、商品を引き渡す時や取引に問題が発生した場合、署名の照合を容易に行うことができる。
【考案の効果】
【００１６】
　本考案の重ね書きによる複写可能なレシートにより、重ね合わせた最上位のレシートに署名した時下位に重ねられたレシートに署名を複写することが可能となり、複数のレシートに署名が表示されるので署名の照合が容易となり、顧客と店舗の署名確認作業の効率が向上する。
【考案を実施するための最良の形態】
【００１７】
　本考案に係る重ね書きによる複写可能なレシートを発行するレシート発行装置及び販売管理装置の詳細を図面に基づいて説明する。図１は、本実施の形態における販売管理装置例におけるシステム構成図を示す。図２は、本実施の形態におけるレシート発行装置を含むＰＯＳ端末装置の構成例を示すブロック図である。以降、本考案におけるレシート発行装置は、ＰＯＳ端末装置に含まれている構成例として説明する。
【００１８】
　図１に示すとおり、本考案の実施の形態例に使用する販売管理装置１００は、複数のＰＯＳ端末装置１とＰＯＳ端末装置１と連係したデータ処理装置２とで構成されている。ＰＯＳ端末装置１に連係されたデータ処理装置２は、本体のＣＰＵと、プログラム及びデータを記憶する記憶部と、バーコードリーダーを含む入力装置と、データ表示装置３と、各種ファイルを記憶する外部記憶装置２４と、印刷装置とで構成されている。
【００１９】
　外部記憶装置２４は、ＰＬＵファイル４と、売上データファイル６と、顧客情報ファイル５と、商品ファイル７と、複数種類のレシート印字様式データを格納したレシート印字様式ファイル８とを有している。レシート印字様式データは、この印字様式に適用する商品コード、会社名、レシートフォーマット、レシート印字枚数及び当該各レシートの長さが記録されている。データ処理装置２は、購入データ及び顧客情報に基づいて該当するレシート印字様式を選択するレシート印字様式判断部９と、購入商品のデータの抽出処理を行い送信情報を生成する手段と、レシート印字様式と作成した購入商品の送信情報をＰＯＳ端末装置１に送信する手段を有している構成である。
【００２０】
　図２に示すように、ＰＯＳ端末装置１は、ＣＰＵ（演算記憶制御装置）と、プログラム及びデータを記憶する記憶装置と、データを入力するキーボードを含む入力装置１０と、カードを読み取るカード読取装置１１と、バーコードを読み取るバーコード読取装置１２と、購入商品、金額等のデータを表示する表示装置１３と、レシートに購入明細情報を印刷するレシート発行装置１４で構成される。ＰＯＳ端末装置１は、データ処理装置２から購入商品に該当するレシート印字様式とＰＬＵファイル４に基づく商品情報を受信し印字データ作成部１６でレシート印字データを作成する。
【００２１】
　レシート発行装置１４は、レシートに印字するレシート印字様式とレシートに印字する商品に関するデータを受信する受信部１７と、受信したデータを印字する印字部１８と、印字終了後レシートの切断を制御する制御部１９と、制御部１９に制御されてレシートを切断する切断部２０とで構成されている。
【００２２】
　なお、図１に示す、本実施の形態例ではデータ処理装置２に、レシート印字様式記憶ファイル８とレシート印字様式判断部９を有する構成としたが、レシート印字様式ファイル８とレシート印字様式判断部９をＰＯＳ端末装置１又はレシート発行装置１４に有する構成としてもよい。
【００２３】
　図３は、レシート発行装置１４にレシート印字様式ファイル８とレシート印字様式判断部９を設けた構成例を示す。レシート発行装置１４は、レシート発行装置１４を制御するプログラムを実行し切断部を制御する制御部１９と、商品の情報を受信する受信部１７と、複数のレシート印字様式データを記憶するレシート印字様式ファイル８と、商品情報に基づいて商品情報に対応する前記レシート印字様式を判断するレシート印字様式判断部９と、商品情報に基づいて印字データを作成する印字データ作成部１６と、印字データを重ね書き可能なレシート用紙に印字する印字部１８と、レシートを選択したレシート印字様式に定められた所定の長さに切断する切断部２０とで構成されている。レシート発行装置１４は、各種の本体装置（例えば、ハンディターミナル等）に接続して所要の様式で重ね書き可能なレシートを印字することが可能となる。
【００２４】
　図４は、本考案に係るレシート発行装置１４に装着しレシート発行に使用するサーマルロール紙６０例を示す。図４（ａ）は、サーマルロール紙６０の巻き回した状態を示し、図４（ｂ）は、図４（ａ）に示すＺ−Ｚ間での断面図を示す。
【００２５】
　本考案のレシート発行装置１４に装着しレシート発行に使用するサーマルロール紙６０は、長尺な紙基材６１の表面が感熱発色層６２を備えた感熱紙６４を形成し、紙基材６１の裏面に予め感圧複写を可能にするノーカーボン層６３が長手方向に連続して形成されている。
【００２６】
　紙基材６１の裏面に塗布されるノーカーボン層６３は、カプセルの中に不揮発性の染料を内包し筆圧によりカプセルが破壊され染料が紙に塗布されたレジンと反応して発色するノーカーボンインキを塗布したものである。そして、このノーカーボン層６３に塗布されたインキはセルフ発色インキでも良い。また、加圧することによって、カーボンが下の用紙に付着するバックカーボンでも良い。感熱紙６４は複数枚重ね合わせ、最上位の表面に手書き等によって一定の圧力を加えると下位に重ねた感熱面が発色する機能を有するものを使用している。この機能を有する感熱紙は、筆記具で加圧して書いた署名を複写することが可能である。
【００２７】
　カーボンインキを塗布したカーボン層を有するレシートの場合は、カーボン紙を利用して複写が可能であるが、ノーカーボン紙であればカプセルに内包した染料の発色がカーボン紙のカーボンインキと異なるため複写を改竄することができなくなる。
【００２８】
　サーマルロール紙６０は、サーマルプリンタを備えたＰＯＳ端末装置１のレシート発行装置１４に設けられた保持部に装着された状態で、外周部から順次引き出され、サーマルヘッドによって感熱発色層６２へ所要出力情報が印字された後、切断されて所定の長さのレシートとなる。この複数枚のレシートは、ＰＯＳ端末装置１及びレシート発行装置１４の制御部１９に制御されて、購入伝票、商品受渡伝票等として使用するのに必要な所定の印字レイアウトで、所定の枚数が自動的に作成される。
【００２９】
　各レシートの表面には印字された商品購入情報欄の他に、印字されない署名欄が設けられ、この署名欄が署名等の複写記入欄となっている。なお、この記入欄を明白にするために署名欄を囲む枠、アンダーライン、署名欄等の所定の文字から成る案内表示を商品情報印刷時に同時に印刷するようにしてもよい。
【００３０】
　作成されたレシートを複数枚で構成された伝票として使用する場合、複数枚を重ね合わせて顧客に提示し、最上面のレシートの表面に設けられた署名欄に顧客の署名を受けることにより、感熱発色層６２を上方向に重ねられた各レシートの裏面に形成されているノーカーボン層６３のカーボンが対向する各レシートの表面に転着し、重ねられた下方のレシート全ての署名欄に署名を複写記入できることとなる。
【００３１】
　また、ノーカーボン層６３は長手方向に連続して形成されている為、、長さの異なる複数枚のレシートであっても、複写記入ができ、さらに別のノーカーボン用紙の下の用紙にも複写が可能である。
【００３２】
　なお、上記の説明はサーマルロール紙６０によるレシートとして説明したが、レシート印字装置によっては、同様な複写可能な加工が施された連続用紙や単票であってもよい。
【００３３】
　ここで、本考案に係る重ね書き可能なＰＯＳ端末装置１によるレシート発行動作について説明する。
【００３４】
　図５は、本考案に係るレシート例（お買上伝票）を示す。レシート３５ａ、３５ｂは、少なくともレシート３５を発行した店名等のレシート発行者名と、レシート発行日時と、購入金額と、からなる購入情報欄２７と、裏面にノーカーボン層６３が設けられ重ね書き可能な署名欄３６で構成されている。
【００３５】
　データ処理装置２はＰＯＳ端末装置１から入力された商品データを受信すると、レシート印字様式ファイル８に記憶されている複数のレシート印字様式の内から当該商品データに対応したレシート印字様式を選択する。レシート印字様式判断部９は、お買上明細票３５ａ、３５ｂのレシート印字を行うレシート印字様式を選択する。商品データには、レシート印字様式を判断するための商品コード（ビデオ）、現金販売、配達品、取扱会社コード等の印字様式を選択するキーコードが含まれている。
【００３６】
　この時、送られた商品データ（キーコード）に該当するレシート印字様式が、レシート発行装置１４に記憶されている現在使用中のレシート印字様式と同じ場合がある。この場合、レシート発行装置１４は現在使用中のレシート印字様式を使用して、データ処理装置２は送られた商品データに該当するレシート印字様式をＰＯＳ端末装置１に送信しない。
【００３７】
　ＰＯＳ端末装置１のレシート発行装置１４が現在使用しているレシート印字様式と、送信された商品データで使用するレシート印字様式とが違う場合は、送られた商品データに基づいてレシート印字様式判断部９が選択したレシート印字様式及び関連する商品データをＰＯＳ端末装置１に送信する。
【００３８】
　データ処理装置２から送信されたレシート印字様式と関連する商品データを受信したＰＯＳ端末装置１は、送信されたレシート印字様式に基づき商品名、数量、預かり金額、配達日等の購入情報欄２７の明細データをバーコード読取装置１２及びキーボード入力装置１０等から入力しレシート印字データを作成しレシート発行装置１４に送信する。
【００３９】
　レシート発行装置１４は、ＰＯＳ端末装置１から送信されたレシート印字データをレシート印字様式に従って裏面にノーカーボン層６３が設けられたサーマルロール紙６０上の表面に感熱印字を行う。この時、レシート発行装置１４は、レシートの印字枚数、レシートの切断の長さを制御部１９に制御され、切断部２０により所定の長さに切断された所定の枚数のお買上伝票３５（レシート）を印字する。
【００４０】
　レシート発行装置１４は、先ずお買上伝票３５ａを印字し、お買上伝票３５ａの印字が終了すると所定の長さに切断しレシートを排出する。続けて、お買上伝票３５ｂを印字し、お買上伝票３５ｂの印字が終了すると所定の長さに切断し排出する。
【００４１】
　担当者は、お買上伝票３５ａとお買上伝票３５ｂとの少なくとも１辺を重ねあわせ、お名前欄３６ａ、３６ｂが同一の位置に重なるようにする。例えば、図６の例では、お買上伝票３５ａの辺３７ａとお買上伝票３５ｂの辺３７ｂとを重ね合わせ、さらに、お買上伝票３５ａの辺３８ａとお買上伝票３５ｂの辺３８ｂとを重ね合わせることによりお名前欄３６ａ、３６ｂが同一の位置に重なる。
【００４２】
　この状態で筆記用具、例えばボールペン等でお買上伝票３５ａの名前欄３６ａに顧客の署名（署名）を記入してもらう。顧客により書かれたお名前欄３６ａの署名は、お買上伝票の裏面に設けられたノーカーボン層６３によりお名前欄３６ｂに転着し複写される。
【００４３】
　ここで、本考案の重ね書き可能なレシート及びその印字装置で発行した重ね書きによる複写可能なレシートの実施の形態例について説明する。
【００４４】
　図６は、ガソリンスタンド掛売りレシートの例を示す。図７（ａ）は、納品書でガソリンスタンドサービスステーション控え（ＳＳ控え）を示し、図７（ｂ）は、顧客に対する請求用伝票を示し、図７（ｃ）は、顧客控えを示す。
【００４５】
　納品書は、販売会社名（ＸＸＸ石油）欄と、納品書（領収書）、日付欄と、購入者名（○○○株式会社）欄、車両番号（１２３４５）欄、実車番号（６７８９０）欄、品名、数量（レギュラー１０Ｌ）欄とで構成された購入情報欄２７と、署名欄３６（以後、適宜「サイン欄」という。）が設けられ、さらに、サイン欄の下方行には納品書（レシート）を発行した会社名、住所、電話番号、レシート番号、データ番号等が印字されている。レシートの署名欄３６ａの裏面にはノーカーボン層６３が設けられている。（ｂ）の請求書用伝票も同じ構成である。
【００４６】
　図６（ｃ）の顧客控えには、サイン欄３６ｃの下方行に案内情報欄２８が設けられている。
【００４７】
　ガソリンスタンドでは特定企業用（特定顧客）に掛け売りを行う。掛売りでガソリンを購入した際、ＰＯＳ端末装置１は選択されたレシート印字様式に基づき印字を制御されて３枚構成の納品書を連続して発行する。この際のＰＯＳ端末装置で印字するレシート（納品書）の署名欄３６ａは、各伝票（レシート）に印字された署名欄３６ｂ、３６ｃの位置と重ね合わせるために基準とする一辺Ｘ、Ｘ’、Ｘ”からの繰上げ行数が同じ位置に印字するように制御する。
【００４８】
　近年ではＰＯＳやクレジット売上票専用端末で感熱ロールによって売上票を出力する様になった。これにより、一度に例えば３枚（顧客控え、ＳＳ控え、石油会社控え）それぞれに顧客のサインを残すことができなくなった。しかし、重ね書き可能な感熱レシートを利用すれば顧客がサインを残すことが可能である。
【００４９】
　図６に示す伝票例では、各伝票の上端辺Ｘ、Ｘ’、Ｘ”を重ね合わせることによりサイン欄が同一位置に重ね合わされる。
【００５０】
　重ね合わせられた伝票のサイン欄に顧客のサインを受領すると、それぞれの伝票のサイン欄にサインをもらうことが可能となる。これにより、ＳＳでガソリン等の購入の確認する場合は、顧客及びＳＳともにサインがあるレシートをもっていれば、容易に確認できる。
【００５１】
　図７は、ＤＰＥストアで写真現像依頼の際発行するフィルム引換券を示す。ＤＰＥストアで写真現像依頼をした際、従来はＰＯＳ端末装置１でレシートを発行し、それとは別にフィルムの引換券を発行していた。店舗はその控を仕上り指示書として、商品に貼付している。顧客が商品を引き取る際に、引換券を証明書として利用し、その引換券と商品に貼付している控を見ることで確認し、その後商品を交換していた。この引換券には仕上った際に連絡する為に名前、住所、電話番号等が記載されている。
【００５２】
　図７に示すレシートにおいて、図７（ａ）は、お客様控え（引換券）であり、図７（ａ）に示すように購入情報欄２７には、店舗名（カメラストアーＤＰＥセンター）、お買い上げ明細のタイトル表示欄と、発行日、発行時間（２００３年１月３１日　１０：３５）欄と、商品名（２４枚撮りフィルム、パノラマ、光沢）、数量（１）、金額（￥７００）欄と、金額の小計欄と、金額の小計と税率から演算した消費税等欄と、金額の小計と消費税を加算した合計欄が設けられている。
【００５３】
　さらに、仕上り明細欄が設けられ、仕上り時間（２００３年１月３１日　１７：００）と、受付番号が印字されている。図において、受付番号欄の下方行は署名欄３６で、お名前欄（及び住所）と、お電話番号欄が設けられている。レシートの署名欄３６ａの裏面にはノーカーボン層６３が設けられている。さらにお電話番号欄の下方の行には案内情報欄２８が設けられ案内情報が印字されている。
【００５４】
　図７（ｂ）は、店舗控えであり、図７（ｂ）に示すように購入情報欄２７には、店舗名（カメラストアーＤＰＥセンター）、お買上明細の表示と、発行日、発行時間（２００３年１月３１日　１０：３５）と、商品名（２４枚撮りフィルム、パノラマ、光沢）、数量（１）、金額欄（￥７００）と、金額の小計欄と、消費税等欄と、合計欄が設けられている。
【００５５】
　さらに、仕上り明細欄が設けられ、仕上り時間（２００３年１月３１日　１７：００）と、受付番号欄とが設けられている、署名欄３６には、お名前欄（および住所）と、お電話番号欄が設けられている。
【００５６】
　発行された図７（ａ）のお客様控えと図７（ｂ）の店舗控えのＸ辺とＸ’辺とを重ね合わせると、お客様控えと店舗控えに設けられたお名前欄とお電話番号欄とが重ね合わされる。顧客は重ね合わされた最上位の伝票のお名前欄とお電話番号欄にボールペン等の筆記用具で記入することにより下方の伝票にも名前と電話番号が複写される。
【００５７】
　これにより、店舗、顧客ともに名前（及び住所）、電話番号が記入された引換券、及び控えを持つことが可能となる。そしてその控は商品に貼付され、仕上げ指示及び引換時の確認で使用することができる。
【００５８】
　図８は、アパレルストア、百貨店で洋服を購入した際発行されるお仕立て洋服引換券のレシート例を示す。アパレルストア、百貨店で洋服を購入した際、店舗はその控を仕上り指示書として、商品に貼付している。顧客が商品を引き取る際に、引換券を証明書として利用し、その引換券と商品に貼付している控を見ることで確認し、その後商品を交換していた。この引換券には仕上った際に連絡する為に名前、住所、電話番号等が記載されている。
【００５９】
　図８に示すレシートは、図８（ａ）はお客様控え（お仕立て洋服引換券）であり、図８（ａ）に示すように購入情報欄２７には、店舗名（ｘｘ洋服ショップ）、お買上明細のタイトル表示と、発行日、発行時間（２００３年１月３１日　１０：３５）と、商品名（スーツ上下）、数量（１）、金額（￥３９，８００）と、金額の小計（￥３９，８００）と、金額の小計と税率から演算した消費税等（￥１，９９０）と、金額の小計と消費税を加算した合計（￥４１，７９０）の各欄が設けられている。
【００６０】
　さらに、合計欄の下方行にはお仕立て明細欄が設けられ、受付番号欄（１２３４５）と、商品名欄（スーツ上下）、数量欄（１）、金額欄（￥３９，８００）と、仕上り時間欄（２００３年１月３１日　１７：００）とが設けられている。仕上り時間欄の下方に設けられた署名欄３６には、お名前欄（及び住所）と、お電話番号欄が設けられている。レシートの署名欄３６ａ、お電話番号欄の裏面にはノーカーボン層６３が設けられている。さらにお電話番号欄の下方の行には案内情報欄２８が設けられ案内情報が印字されている。
【００６１】
　図８（ｂ）は、店舗控えであり、図８（ｂ）に示すように購入情報欄２７には、店舗名（ｘｘ洋服ショップ）、お買上明細のタイトル表示と、発行日、発行時間欄（２００３年１月３１日　１０：３５）と、商品名欄（スーツ上下）、数量欄（１）、金額欄（￥３９，８００）と、金額の小計欄（￥３９，８００）と、金額の小計と税率から演算した消費税等欄（￥１，９９０）と、金額の小計と消費税を加算した合計欄（￥４１，７９０）が設けられている。
【００６２】
　さらに、お仕立て明細欄が設けられ、受付番号欄（１２３４５）と、商品名（スーツ上下）、数量（１）、金額欄（￥３９，８００）と、仕上り時間（２００３年１月３１日　１７：００）とが設けられている。署名欄３６には、お名前欄（及び住所）と、お電話番号欄が設けられている。
【００６３】
　発行された図８（ａ）のお客様控えと図８（ｂ）の店舗控えのＸ辺とＸ‘辺とを重ね合わせると、お客様控えと店舗控えのお名前欄３６ａ、３６ｂとお電話番号欄とが重ね合わされる。顧客は重ね合わされた最上位の伝票のお名前欄３６ａとお電話番号欄にボールペン等の筆記用具で記入することにより下方の伝票にも名前と電話番号が複写される。
【００６４】
　これにより、店舗、顧客ともに名前（及び住所）、電話番号が記入された引換券、及び控えを持つことが可能となる。そしてその控は商品に貼付され、仕上げ指示及び引換時の確認で使用することができる。
【００６５】
　図９は、百貨店等の小売店が行うキャンペーン申込書の例を示す。図９（ａ）は、領収書（お客様控え）であり、購入情報欄２７には、店名（ｘｘ百貨店）、領収書のタイトル表示と、発行日欄（２００３年１月３１日　１０：３５）と、商品名欄（紳士小物）と、数量欄（１）と、金額欄（￥３９，８００）と、小計欄（￥３９，８００）と、金額の小計と税率から演算した消費税等欄（￥１，９９０）と、金額の小計と消費税を加算した合計欄（￥４１，７９０）が設けられている。
【００６６】
　さらに、合計欄の下方行にはキャンペーンのタイトル「春の新生活キャンペーン引換券」欄と、署名欄３６にお名前欄３６ａと、お電話番号欄と、ご住所欄が設けられている。レシートの署名欄３６ａの裏面にはノーカーボン層６３が設けられている。さらにその下方行には、案内情報欄２８が設けられ案内情報が印字されている。この案内情報は、「春の新生活キャンペーン引換券」の印刷様式ファイルに格納されている案内情報を印字するように構成されている。
【００６７】
　図９（ｂ）は、店舗抽選申込書で、キャンペーンの標題「春の新生活キャンペーン申込書」欄と、お買上金額（￥３９，８００）欄と、お名前欄と、お電話番号欄と、ご住所欄が設けられている。
【００６８】
　百貨店等が店頭でキャンペーンをした際に、ＰＯＳ端末装置で図９（ａ）に示す領収書と、図９（ｂ）に示すキャンペーン申込書を連続して印字し、夫々に署名欄名、電話番号欄名、住所欄名を印字する。このときのレシート印字においてレシート印字装置１４は、複写する署名欄３６（お名前欄、お電話番号欄、ご住所欄）を図に示すレシートの下端辺Ｗ、Ｗ’からの位置が同じ位置に位置するように制御されて印字する。
【００６９】
　発行された図９（ａ）の領収書（お客様控え）と図９（ｂ）の春の新生活キャンペーン申込書（店舗側抽選申込書）のＷ辺とＷ’辺とを重ね合わせると、領収書とキャンペーン申込書のお名前欄３６ａ、３６ｂとお電話番号欄とご住所欄が重ね合わされる。顧客は重ね合わされた最上位の伝票（領収書）のお名前欄３６ａ、お電話番号欄、ご住所欄にボールペン等の筆記用具で名前、と電話番号、住所を記入することにより下方の伝票（春の新生活）キャンペーン申込書）にもお名前３６ｂと電話番号、住所が複写される。
【００７０】
　これにより、店舗、顧客ともに名前、電話番号、住所が記入された引換券、及び店舗側抽選申込書を持つことが可能となる。そしてお客様控え伝票は、商品を引き換えるときに、商品購入顧客の確認を行うとともに商品の引換券として使用することができる。
【００７１】
　図１０は、クレジットカード売上票（ＰＯＳ端末タイプ）の実施の形態例を示す。クレジットカード売上票は、顧客がクレジットカードによる商品の購入をしたときに発行される売上票である。クレジットカード売上票は、ＰＯＳ端末装置１のカード読取装置１１によりクレジットカードを読み取り、バーコード読取装置１２から商品コードを読み取り、決済方法を入力した購入データと関連するファイルを使用してクレジットカード売上票発行プログラムにより発行される。
【００７２】
　クレジットカード売上票は、３枚の伝票（レシート）で構成されていて、図１０（ａ）は、お買上明細書のお客様控え、図１０（ｂ）は加盟店控え、図１０（ｃ）は、カード会社控えとしてのお買上明細票（レシート）を示している。
【００７３】
　クレジットカード売上票の購入情報欄２７には、ショップ店名と、お買上明細のタイトル表示と、発行日欄（２００３年１月１日）と、担当者欄（*****）と、伝票番号欄（１２３４５６）と、商品名欄（ビデオデッキ）と、数量欄（１）と、金額欄（￥１１，５００）と、購入金額の小計欄（￥１１，５００）と、小計欄の金額と消費税率に基づいて計算された消費税等欄（￥５７５）と、小計欄の金額と消費税額を加算した金額が印字される合計欄（￥１２，０７５）の各欄で構成されている。合計欄の下方行には、署名欄３６が設けられている。署名欄３６ａ、３６ｂの裏面にはノーカーボン層６３が設けられている。
【００７４】
　さらに、署名欄３６の下方行には決済方法欄が設けられ、クレジット金額（￥１２，０７５）、カード会社名（○○カード株式会社）、会員番号（１２３４５６７８９１２３４５６０）、支払方法（一括払い）、支払い回数（１回）、有効期限（２００６／０５）が印字されている。さらに、決済方法欄の下方行には商品購入金額の内で現金支払いがある場合は、現金額と、お預り金額と、釣銭金額とが印字されている。さらに、お客様控えには、釣銭金額欄の下方行に案内情報欄２８が設けられ案内情報が印字されている。さらにその下方行にはお問合せ番号（１２３４５６７８９０）が印字されている。
【００７５】
　レシート印字装置１４は、選択されたレシート印字様式に基づいて上記した３枚のレシートを連続して印字する。印字された３枚のレシートの印字方向先端辺Ｘ、Ｘ’、Ｘ”を重ね合わせることにより、各伝票の署名欄３６ａ、３６ｂ、３６ｃは、同一の位置に重ね合わされる。３枚重ね合わせた伝票の最上位の伝票に設けられた署名欄にボールペン等の筆記用具で署名をすると下方に重ねられた伝票の署名欄３６ｂ、３６ｃに署名が複写される。
【００７６】
　これにより、従来はカード会社側に保管されていたサインの記入された伝票を、顧客、加盟店も持つことが可能となった。仮に伝票が偽造された場合は、サインを確認するために、サインが入っているお買上明細書のサインと偽造伝票のサインとを照合することで、サインが違う場合は他人が利用したことをカード会社に証明することが可能となる。
【００７７】
　図１１は、クレジットカード売上票（ＣＡＴタイプ）の実施の形態例を示す。クレジットカード売上票は３枚の伝票で構成されていて、図１１（ａ）は、クレジットカード売上票の店舗控え、図１１（ｂ）は、お客様控え、図１１（ｃ）は、カード会社控えを示している。
【００７８】
　クレジットカード売上票の店舗控えには、伝票名のクレジットカード売上票、店舗控えとのタイトル表示と、署名欄３６ａが設けられ、署名欄の裏面にはノーカーボン層６３が設けられている。その下行方向に設けられた購入情報欄２７には、カード会社名、会員番号、端末番号、取扱日、伝票番号、処理通番、承認番号、有効期限、取扱区分、分割回数、金額、消費税等、合計、売り場、担当者の各欄で構成されている。
【００７９】
　図１１（ｂ）のクレジットカード売上票のお客様控えには、伝票名のクレジットカード売上票、お客様控えと、署名欄３６ａが設けられ、署名欄の裏面にはノーカーボン層６３が設けられている。その下行方向に設けられた購入情報欄２７には、カード会社名、会員番号、端末番号、取扱日、伝票番号、処理通番、承認番号、有効期限、取扱区分、分割回数、金額、消費税等、合計、売り場、担当者の各欄と、案内情報２８が設けられている。
【００８０】
　図１１（ｃ）のカード会社控えには、伝票名のクレジットカード売上票、カード会社控えと、署名欄３６ａが設けられ、その下行方向に設けられた購入情報欄２７には、カード会社名、会員番号、端末番号、取扱日、伝票番号、処理通番、承認番号、有効期限、取扱区分、分割回数、金額、消費税等、合計、売り場、担当者の各欄で構成されている。
【００８１】
　この伝票例の場合は、レシート印字方向の先端側近傍に署名欄３６ａ、３６ｂ、３６ｃが設けられている。レシート印字装置１４は、選択されたレシート印字様式（及びプログラム）に基づいてレシート印字が制御され上記した３枚のクレジットカード売上票（レシート）を連続して印字する。印字された３枚の伝票（レシート）の先端辺Ｘ、Ｘ’、Ｘ”を重ね合わせることにより、各伝票の署名欄３６ａ、３６ｂ、３６ｃは、同一の位置に重ね合わされる。３枚重ね合わせた伝票の最上位の伝票に設けられた署名欄３６ａにボールペン等の筆記用具で署名をすると下方に重ねられた伝票の署名欄３６ｂ、３６ｃに署名が複写される。
【００８２】
　これにより、従来はカード会社のみに保管されていたサインの記入された伝票を、顧客、加盟店も持つことが可能となった。仮に伝票が偽造された場合は、サインを確認するために、顧客を呼び出してサインをさせて確認を行っていたが、サインが入っているお買上明細書のサインと偽造伝票のサインとを照合することで、サインが違う場合は他人が利用したことをカード会社に証明することが可能となる。
【００８３】
　図１２は、長さの異なる複数枚組の各レシートに重ね合わせの「印」を印字したレシートの例を示す。クレジットカード売上票は３枚の伝票で構成されていて、図１２（ａ）は、お買上明細書４０であってお客様控え、図１２（ｂ）はお買上明細書４１であって加盟店控え、図１２（ｃ）は、お買上明細書４２であってカード会社控えの各々のお買上明細伝票（レシート）を示している。
【００８４】
　図１２（ａ）に示すクレジットカード売上票４０には、ショップ店名と、お買上明細のタイトル表示と、タイトルの下方行に案内情報欄２８と、案内情報欄２８の下方行には購入情報欄２７が設けられ、発行日欄と、担当者欄と、伝票番号欄と、商品名欄と、数量欄と、金額欄と、購入金額の小計欄と、小計欄の金額と消費税率に基づいて計算された消費税等欄と、小計欄の金額と消費税額を加算した金額が印字される合計欄の各欄で構成されている。合計欄の下方行は、署名欄３６が設けられている。署名欄３６ａの裏面にはノーカーボン層６３が設けられている。
【００８５】
　署名欄３６ａの下方行には決済方法欄が設けられ、クレジット金額、カード会社名、会員番号、支払方法、支払い回数、有効期限が印字されている。さらに、決済方法欄の下方行には商品購入金額の内で現金支払いがある場合は、現金額と、お預り金額と、釣銭金額とが印字されている。さらに、釣銭金額欄の下方行に案内情報２８が印字されている。
【００８６】
　図１２（ｂ）、及び図１２（ｃ）に示す、お買上明細４１、お買上明細４２には、図１２（ａ）に示した案内情報２８が印字されない構成となっている。お買上明細４２には、釣銭金額欄の下方行に加盟店の店名と住所等が印字されている。このためお買上明細４０、お買上明細４１及びお買上明細４２の各々の伝票（レシート）の長さが異なっている。
【００８７】
　このような構成のレシートの場合は、レシート毎に印字内容が異なり又ご署名欄の位置が異なっているので、各レシートの１辺を重ねたとしてもご署名欄は同一の位置で重ね合わされない。
【００８８】
　このため、本考案の重ね書きによる複写可能なレシートは、レシートの長手方向で「ご署名欄」の位置から所定の長さ（間隔）の位置に位置合わせのための「印４５」を印字するプログラムにより制御され発行される。この「印４５」と「ご署名欄３６」との間隔は、各レシートの印字において同一になるように制御されている。「印４５」の位置は「ご署名欄」より長手方向で印字開始行方向側（レシート先端側）にあってもよく、印字終了行方向側（レシート後端側）であってもよい。
【００８９】
　位置合わせのための「印４５」が印字された各レシートは、各レシートに印字された「印４５」を合わせることによって、最上位のレシートの「ご署名欄３６ａ」位置と他の各レシート上の「ご署名欄３６ｂ、３６ｃ」の位置が同一の位置になる。
【００９０】
　重ねたレシートの最上位のレシート４０に設けられた「ご署名欄３６ａ」にボールペンなどにより署名（署名）すると、重ねられた各レシート４０、４１の裏面に形成されているノーカーボン層６３のカーボンが対向する各レシート４１、４２の表面に転着し、レシート４０に重ね合わされた下方のレシート４１、４２全ての「ご署名欄」に署名を複写記入できることとなる。
【００９１】
　この図１２の例に示すレシート印字様式（及びプログラム）は、３枚のレシート４０、４１、４２は各々印字内容が異なるので３種類のレシート印字様式（及びプログラム）を使用して印字部１８を制御し３枚のレシート４０、４１、４２を連続して印字する。
【００９２】
　さらに、複数枚で１組を構成するレシートセットにおいて、指定されたレシートのみに署名欄を印字するように制御することが可能である。この場合は、「ご署名欄」を有するレシート印字様式と、「ご署名欄」を有しないレシート印字様式を使用し、これらのシート印字様式に基づき印字部１８を制御してレシート印字をおこなう。
【００９３】
　本考案の重ね書き可能なレシートでは、ロールタイプの用紙に印字するレシート（お買上明細書、領収書）でもサインを顧客に残すことが可能となり、顧客が所持するレシートにあるサインと、カード会社又は店舗が所持する控えにあるサインを照合することによって、本人が利用したかどうかを確認することができるとともに、サインの偽造を防止することが可能となった。
【００９４】
　上記に説明したように、本考案の重ね書きによる複写可能なレシートは、商品購入の際に顧客に対して発行される複写可能な署名欄を有する複数枚で構成されたレシートであって、前記レシートの購入情報欄には、少なくともレシートを発行した店名等のレシート発行者名と、レシート発行日時と、購入金額と、からなる購入情報が印字され、前記複写可能な署名欄は、複数の前記レシートに設定された基準位置を重ね合わせることにより同一の位置に重なり合うように設けられている。
【００９５】
　これにより、重ね合わせた最上位のレシートに署名した時下位に重ねられたレシートに署名を複写することが可能となった。複数のレシートに署名が表示されるので署名の照合が容易となり、顧客と店舗の署名確認作業の効率が向上する。
【図面の簡単な説明】
【００９６】
【図１】本考案に係る販売管理装置の構成例を示すブロック図である。
【図２】本考案に係るＰＯＳ端末装置の構成例を示すブロック図である。
【図３】レシート発行装置にレシート印字様式ファイルとレシート印字様式判断部を設けた構成例のブロック図を示す。
【図４】本考案に係るレシート発行に使用するサーマルロール紙例を示す。
【図５】本考案に係るレシート例（お買上伝票）を示す。
【図６】本考案に係るガソリンスタンド掛売りレシートの例を示す。
【図７】本考案に係るＤＰＥストアで写真現像依頼の際発行するフィルム引換券を示す。
【図８】本考案に係るお仕立て洋服引換券のレシート例を示す。
【図９】本考案に係る百貨店等の小売店が行うキャンペーン申込書の例を示す。
【図１０】本考案に係るクレジットカード売上票（ＰＯＳ端末タイプ）の実施の形態例を示す。
【図１１】本考案に係るクレジットカード売上票（ＣＡＴタイプ）の実施の形態例を示す。
【図１２】本考案に係る長さの異なる複数枚組の各レシートに重ね合わせの印を印字したレシートの例を示す。
【符号の説明】
【００９７】
　１　ＰＯＳ端末装置
　２　データ処理装置
　４　ＰＬＵファイル
　８　レシート印字様式ファイル
　９　レシート印字様式判断部
　１４　レシート発行装置
　１８　印字部
　１９　制御部
　２０　切断部
　２５ａ、２５ｂ、２５ｃ　レシート
　２７　購入情報欄
　２８　案内情報欄
　３０、３５、４０、５０　レシート
　３６　署名欄（サイン欄）
　４５　印
　６０　サーマルロール紙
　６１　紙基材
　６２　感熱層
　６３　ノーカーボン層
　６４　感熱紙
【図１】
0003099276.tif 000003
【図２】
0003099276.tif 000004
【図３】
0003099276.tif 000005
【図４】
0003099276.tif 000006
【図５】
0003099276.tif 000007
【図６】
0003099276.tif 000008
【図７】
0003099276.tif 000009
【図８】
0003099276.tif 000010
【図９】
0003099276.tif 000011
【図１０】
0003099276.tif 000012
【図１１】
0003099276.tif 000013
【図１２】
0003099276.tif 000014